(57)【要約】【課題】腰部をバランスよく下支えでき、全体構造も簡素化して取扱いを簡便化した腰用空気枕の提供。【解決手段】人体の腰部を下支えさせるべく、空気注入自在に形成された空気袋１２を本体とする腰用空気枕１１において、人体腰幅方向での長さを横幅Ｗとし、人体身長方向での長さを縦幅Ｈとするとき、空気袋１２には、その幅を最大にして中央部に配設した第１の隔室２３と、該隔室２３の両隣に隔室２３の幅より小幅にして配設した２列の第２の隔室２４と、各隔室２４の隣に隔室２４の幅より小幅にして配設した２列の第３の隔室２５と、各隔室２５の隣に隔室２５の幅より小幅にして配設した２列の第４の隔室２６とを通気性を保持させて区画形成するとともに、各隔室２３〜２６は、空気注入後における第１の隔室２３の膨出高さを最大とし、第４の隔室２６に向けて順次膨出高さを小さくすることで、仰臥時における人体の腰部の安定的な下支えを自在とした。【選択図】図１
2008006145.tif 000002
【特許請求の範囲】
【請求項１】
仰臥時の人体における腰椎を含む腰部を下支えさせるべく、給排気用バルブを介しての空気注入が自在に形成された空気袋を本体とする腰用空気枕において、
空気注入前の平面形状が略方形を呈して仰臥時の人体腰幅方向での長さを横幅とし、仰臥時の人体身長方向での長さを縦幅とするとき、前記空気袋には、前記横幅の長さ方向での中央部にその幅を最大にして配設した第１の隔室と、該第１の隔室の両隣に該第１の隔室の幅よりはやや小幅にして配設した２列の第２の隔室と、各第２の隔室の隣に該第２の隔室の幅よりはやや小幅にして配設した２列の第３の隔室と、各第３の隔室の隣に該第３の隔室の幅よりはやや小幅にして配設した２列の第４の隔室とを相互の通気性を保持させて区画形成するとともに、
これら各隔室は、空気注入後における前記第１の隔室の膨出高さを最大とし、前記第４の隔室に向けて順次その膨出高さを小さくすることで、仰臥時における人体の腰椎を含む腰部の安定的な下支えを自在としたことを特徴とする腰用空気枕。
【請求項２】
前記空気袋は、横幅方向での両側縁に位置する接合部近傍に各別に空気漏れを阻止して形成された通孔を備え、これら通孔を介して各別に取り付けられたクリップ体により敷き布団上への位置固定を自在とした請求項１に記載の腰用空気枕。
【請求項３】
前記クリップ体は、敷き布団側への咬持を自在に形成されたクリップ本体と、該クリップ本体を前記空気袋側に取り付けるべく前記通孔への嵌着を自在とした座部とを少なくとも備え、
このうち、前記クリップ本体は、撓曲自在な連結腕部と、該連結腕部のそれぞれの開放端側に形成されて対向面相互間での咬持を自在とした一対の咬持片部とを備え、一方の咬持片部にはその咬持方向に向けて透孔を穿設し、該透孔と対面する他方の咬持部には前記透孔を介して導入されるねじ材との螺合を自在とした雌ねじ部を設けた請求項２に記載の腰用空気枕。
【請求項４】
一対の前記咬持片部には、１以上の小径孔を各別に設け、その咬持時にこれらの小径孔を貫通させた糸材による止着を自在とした請求項３に記載の腰用空気枕。
【発明の詳細な説明】
【技術分野】
【０００１】
本発明は、敷き布団上での仰臥時に人体における腰椎を含む腰部を安定的に下支えさせることにより、血行の促進と筋肉の疲労回復とを図りながら休息や熟睡ができるようにした腰用空気枕に関するものである。
【背景技術】
【０００２】
仰臥時における人体は、腰椎を含む腰部が上方に湾曲していることから、床面との間に空隙が生ずる。このため、就寝時などに敷き布団上にて仰臥体勢にある人体は、敷き布団との間に空隙が生じた状態のもとで、何等の下支え手段も介在させることなく腰部に掛け布団の重量や人体の自重に由来する重力を直接に受けることになる。
【０００３】
したがって、仰臥休養状態にある人体（例えば睡眠中の人体）は、気付かぬうちに腰部の周辺筋肉を緊張させる結果、起床時に疲労に由来する寝覚めの悪さやだるさを感じさせることになる。
【０００４】
かかる不具合を解消するものとして、本願出願人は、下記特許文献１に開示されているように、腰部を下支えする空気袋からなる腰用枕と、膝裏部を下支えする空気袋からなる膝用枕とを敷き布団と畳との間に敷き込んで使用する「膝腰用枕」をすでに提案している。
【特許文献１】特開２０００−３００３９４号公報
【発明の開示】
【発明が解決しようとする課題】
【０００５】
しかし、上記「膝腰用枕」による場合には、隔室を３列だけ設けた構造であったため、必ずしも安定的にフィットさせた状態のもとで腰椎を含む腰部を下支えさせることができるものとはなっていないという不都合があった。
【０００６】
しかも、上記「膝腰用枕」は、空気袋を収納カバーに収納する構造を採用していたため、構造が複雑化する不具合もあった。また、クリップ体は、その構造が複雑で使い勝手がよくないという問題もあった。
【０００７】
本発明は、上記従来技術にみられた課題に鑑み、腰椎を含む腰部を安定的にバランスよく下支えさせることができるほか、その全体構造も簡素化してその取り扱いを簡便化した腰用空気枕を提供することにその目的がある。
【課題を解決するための手段】
【０００８】
本発明は、上記目的を達成すべくなされたものであり、仰臥時の人体における腰椎を含む腰部を下支えさせるべく、給排気用バルブを介しての空気注入が自在に形成された空気袋を本体とする腰用空気枕において、空気注入前の平面形状が略方形を呈して仰臥時の人体腰幅方向での長さを横幅とし、仰臥時の人体身長方向での長さを縦幅とするとき、前記空気袋には、前記横幅の長さ方向での中央部にその幅を最大にして配設した第１の隔室と、該第１の隔室の両隣に該第１の隔室の幅よりはやや小幅にして配設した２列の第２の隔室と、各第２の隔室の隣に該第２の隔室の幅よりはやや小幅にして配設した２列の第３の隔室と、各第３の隔室の隣に該第３の隔室の幅よりはやや小幅にして配設した２列の第４の隔室とを相互の通気性を保持させて区画形成するとともに、これら各隔室は、空気注入後における前記第１の隔室の膨出高さを最大とし、前記第４の隔室に向けて順次その膨出高さを小さくすることで、仰臥時における人体の腰椎を含む腰部の安定的な下支えを自在としたことを最も主要な特徴とする。
【０００９】
本発明における前記空気袋は、横幅方向での両側縁に位置する接合部近傍に各別に空気漏れを阻止して形成された通孔を備え、これら通孔を介して各別に取り付けられたクリップ体により敷き布団上への位置固定を自在に形成するのが望ましい。
【００１０】
この場合、前記クリップ体は、敷き布団側への挟着を自在に形成されたクリップ本体と、該クリップ本体を前記空気袋側に取り付けるべく前記通孔への嵌着を自在とした座部とを少なくとも備え、このうち、前記クリップ本体は、撓曲自在な連結腕部と、該連結腕部のそれぞれの開放端側に形成されて対向面相互間での咬持を自在とした一対の咬持片部とを備え、一方の咬持片部にはその咬持方向に向けて透孔を穿設し、該透孔と対面する他方の咬持片部には前記透孔を介して導入されるねじ材との螺合を自在とした雌ねじ部を設けて形成するのが好ましい。また、一対の前記咬持片部には、１以上の小径孔を各別に設け、その咬持時にこれらの小径孔を貫通させた糸材による止着を自在としておくこともできる。
【発明の効果】
【００１１】
本発明によれば、空気袋には、第１の隔室と、該第１の隔室の両隣に該第１の隔室の幅よりはやや小幅にして配設した２列の第２の隔室と、各第２の隔室の隣に該第２の隔室の幅よりはやや小幅にして配設した２列の第３の隔室と、各第３の隔室の隣に該第３の隔室の幅よりはやや小幅にして配設した２列の第４の隔室とを相互の通気を自在にした状態のもとで区画形成されているので、空気を送り込んで各隔室を膨出させた際に、仰臥状態にある人体における腰部を膨出高さを異にする計７列の隔室が安定的に下支えすることで重力がかかるのを効果的に緩和させ、血行の促進と筋肉の疲労回復とを確実、かつ、容易に図ることができる。また、無用な寝返りを打つ必要がなくなり、結果的に寝具の乱れも少なくなって暖かい状態で姿勢よく熟睡できることになる。さらに、熟睡中に無意識で横向きになろうとしても、腰用空気枕により下支えされているので、正しい姿勢を自然に維持することができる。
【００１２】
しかも、空気袋がクリップ体を備えている場合には、該クリップ体を介して敷き布団上に確実に位置固定させることができる。特に、クリップ体が敷き布団側への咬持を自在に形成されたクリップ本体と、該クリップ本体を空気袋側に通孔を介して嵌着自在とした座部とを備え、かつ、咬持部相互をネジ止めできる場合には、敷き布団側への空気袋の位置固定をより確実なものとすることができる。しかも、一対の咬持部に小径孔を各別に設け、これらの小径孔を介して糸材を貫通させて一体的に止着する場合には、より安定した咬持状態のもとで敷き布団側に空気袋側を位置固定することができる。
【発明を実施するための最良の形態】
【００１３】
図１は、本発明の一例を一部を切り欠いて示す平面図であり、図２は、空気を注入して膨出させた状態での図１におけるＡ−Ａ線矢視方向断面図である。
【００１４】
これらの図によれば、腰用空気枕１１は、例えば図３に示すように敷き布団５上での仰臥時に人体１における腰椎を含む腰部２を下支えさせるべく、給排気用バルブ１９を介しての空気注入により膨出を自在とした例えば軟質ポリ塩化ビニルなどのシート状合成樹脂材の周縁部１３を相互に接合してなる空気袋１２を本体とする。
【００１５】
そして、図１に示すように空気注入前の平面形状が平坦な略方形を呈する空気袋１２は、図１に示すように仰臥時の人体胴幅方向での長さを横幅Ｗとし、人体の身長方向での長さを縦幅Ｈとするとき、横幅Ｗを長さ方向とする仕切り接合部１４を介して７分割され、かつ、横幅Ｗ方向での両側縁１５側に位置する接合部１６の内方位置に設けられた通気連通部１７を介して相互が連通している。なお、空気注入前の空気袋１２は、横幅Ｗを例えば７２ｃｍとし、縦幅Ｈを２５ｃｍとするなど、所望に応じた適宜の面サイズを付与して形成することができる。
【００１６】
この場合、空気袋１２には、横幅Ｗの長さ方向での中央部にその幅を最大にして配設される第１の隔室２３と、該第１の隔室２３の両隣に該第１の隔室２３の幅よりはやや小幅にして配設される２列の第２の隔室２４，２４と、各第２の隔室２４の隣に該第２の隔室２４の幅よりはやや小幅にして配設される２列の第３の隔室２５，２５と、各第３の隔室２５の隣に該第３の隔室２５の幅よりはやや小幅にして配設される２列の第４の隔室２６，２６とが、それぞれの仕切り接合部１４を介して各別に区画形成されている。
【００１７】
これら各隔室２３〜２６は、第１の隔室２３の排気時における縦幅Ｌ１の長さが例えば４５ｍｍで、各第２の隔室２４の縦幅Ｌ２の長さが例えば３７．５ｍｍで、各第３の隔室２５の縦幅Ｌ３の長さが例えば３２．６ｍｍで、各第４の隔室２６の縦幅Ｌ４の長さが例えば２６．５ｍｍとなるようにして形成されている。
【００１８】
このため、空気注入後の空気袋１２における第１の隔室２３は、図２に示すようにその膨出高さｈ１が例えば２９ｍｍとなるように制御することができ、図３に示すような仰臥時における腰椎の最大湾曲部の高さ２３ｍｍに、腰部を下支えした際の空気袋１２側の沈み込み６ｍｍを加えた最適高さを確保することができることになる。
【００１９】
また、第２の隔室２４から第４の隔室２６に至る膨出高さｈ２〜ｈ４は、図２に示すように次第に低くなるように制御することができ、図３に示すように仰臥時における腰椎の湾曲高さの変化に追随させることで、フィットさせた状態のもとで腰椎を含む腰部２を下支えさせることができることになる。つまり、第１の隔室２３から第４の隔室２６へと至る空気注入後における膨出高さｈ１〜ｈ４は、第１の隔室２３の膨出高さｈ１を最大とし、第４の隔室２６の膨出高さｈ４を最小とすることで、仰臥時における人体１の腰椎を含む腰部２の安定的な下支えができるカーブを描かせることができることになる。
【００２０】
さらに、空気袋１２は、横幅Ｗ方向での両側縁１５に位置する接合部１６近傍に各別に空気漏れを阻止して形成された通孔１８を備え、これら通孔１８を介して各別に取り付けられたクリップ体３２により図５に示すように敷き布団５上に位置固定することができるようになっている。
【００２１】
図４は、クリップ体３２の一例を拡大して示す斜視図であり、図５は、該クリップ体３２を用いて敷き布団５側に咬持させた際の状態を示す要部拡大平面図である。
【００２２】
これらの図によれば、クリップ体３２は、敷き布団５の布地７をつまみ上げて咬持させることができるクリップ本体３３と、該クリップ本体３３を空気袋１２の通孔１８を介して着脱自在に取り付けることができるボタン状の座部４１とを備えて一体に形成されている。
【００２３】
このうち、クリップ本体３３は、略Ｕ字状を呈するように撓曲自在に形成された連結支腕部３４と、該連結支腕部３４のそれぞれの開放端側に形成された一対の咬持片部３５，３７とを備えて形成されている。また、これら一対の咬持片部３５，３７は、鋸歯状を呈して相互に噛合する対向面３５ａ，３７ａを備え、これら対向面３５ａ，３７ａ相互間での咬持が自在となって形成されている。
【００２４】
このうち、一方の咬持片部３５は、その咬持方向に向けて穿設された透孔３６を連結支腕部３４寄りに備え、他方の咬持片部３６の連結支腕部３４寄りには、透孔３６を介して導入される蝶ボルトなどの雄ねじ材４０との螺合が自在な埋込みナットなどからなる雌ねじ部３８が形成されている。なお、他方の咬持片部３６の雌ねじ部３８の外側には、緊締螺着された雄ねじ材３９の突出部位を覆う筒体部３９が突設されている。
【００２５】
次に、上記構成からなる本発明の作用・効果につき説明すれば、腰用空気枕１１を使用する際には、まず、給排気用バルブ１９を開けて空気袋１２内に空気を送り込み、各隔室２３〜２６の膨出高さｈ１〜ｈ４が所望する高さ、例えば第１の隔室２３の膨出高さｈ１が例えば２９ｍｍとなる空気圧になった段階で給排気用バルブ１９を閉じる。なお、空気袋１２の空気圧は、所望に応じて適宜微調整した上で、実際の使用に供することができる。
【００２６】
このような状態のもとで給排気用バルブ１９を閉じた後は、雄ねじ材４０を緩めてクリップ体３２における一対の咬持片部３５ａ，３７ａ相互を拡開させて図４に示すように空隙ｓを確保する。しかる後、敷き布団５の長さ方向での両側縁部６に位置する布地７をつまみ上げ、空隙ｓを介して対向面３５，３７相互間に導入した上で、雄ねじ材４０を緊締螺着する。クリップ体３２は、雄ねじ材４０を緊締螺着して対向面３５，３７相互を噛合させることにより、布地７を確実に咬持するに至り、図５に示すように腰用空気枕１１を敷き布団５側に安定的に位置固定することができ、使用の都度、正しく位置決めしてセットする手間を省くことができる。
【００２７】
また、敷き布団５側に対する腰用空気枕１１の位置固定状態をより確実なものとする観点からは、一対の咬持片部３５，３７に設けられている小径孔４０を介して縫い糸などの糸材を貫通させて外周面に巻き付けた上で結び付けておくのが望ましい。
【００２８】
しかも、クリップ体３２は、座部４１を通孔１８側から外すことで、簡単に空気袋１２側から取り外すことができるので、クリップ体３２のみを咬持させた状態で敷き布団５を乾燥させることができる。乾燥後には、座部４１を空気袋１２側の通孔１８に単に嵌着させることで、特に位置決めすることなく腰用空気枕１１を所定位置に配置することができる。
【００２９】
一方、就寝する際してには、腰用空気枕１１を上にして敷き布団５を床面に敷き、腰用空気枕１１の上に毛布を敷くなどした上で、仰臥時における人体１の腰部２における腰椎の最大湾曲部が位置する部位を第１の隔室２３が下支えする図３に示す位置関係のもとで横たわる。
【００３０】
このような仰臥姿勢のもとで腰用空気枕１１を腰部の下に位置させた際、人体における腰部は、第１の隔室２３と、２列の第２の隔室２４と、２列の第３の隔室２５と、２列の第４の隔室２６とからなる膨出高さを異にする計７列の隔室２３〜２６により、図３に示すように安定的に下支えされることになる。
【００３１】
この場合、空気注入後の空気袋１２における第１の隔室２３は、図２に示すようにその膨出高さｈ１が例えば２９ｍｍとなるように制御されており、図３に示すような仰臥時における腰椎の最大湾曲部の高さ２３ｍｍに、腰部２を下支えした際の空気袋１２側の沈み込み６ｍｍを加えた最適高さが確保できるようになっているので、腰椎の最大湾曲部によくフィットさせて下支えできることになる。
【００３２】
したがって、就寝時における腰部は、隔室２３〜２６に下支えされて重力がかかるのを効果的に緩和させて熟睡することができるので、確実、かつ、容易に腰痛を緩和させ、血行の促進と筋肉の疲労回復をも図ることができる。また、無用な寝返りを打つ必要がなくなり、結果的に寝具の乱れも少なくなって暖かい状態で姿勢よく熟睡できることになる。さらに、熟睡中に無意識で横向きになろうとしても、腰用空気枕１１により下支えされているので、正しい姿勢を自然に維持することができる。このため、腰用空気枕１１を用いることにより、寝覚めが快適で楽であるほか、身体が軽く感じられる効果も得ることができる。
【００３３】
しかも、腰用空気枕１１は、空気を抜くことによりコンパクトに折り畳むことができるので、例えば旅行先に携行するなど、どこに行っても簡単な操作でその就寝時に使用して疲労等の回復を図ることができる。
【００３４】
また、空気袋１２自体は、例えば軟質ポリ塩化ビニルなどを用いて形成することができるので、使用時における感触もソフトなものとすることができる。
【００３５】
以上は、本発明を図示例に基づいて説明したものであり、その具体的な内容は、本発明の要旨を逸脱しない限り、種々の変形を加えることができる。例えば、腰用空気枕１１は、クリップ体３２を組み合わせることなく、空気袋１２の単体構造とすることもできる。
【図面の簡単な説明】
【００３６】
【図１】本発明の一例を空気を抜いた状態で示す一部切り欠き平面図。
【図２】空気を注入して膨出させた状態での図１におけるＡ−Ａ線矢視方向断面図。
【図３】本発明の使用状態を示す説明図。
【図４】空気袋とクリップ体との配置関係を拡大して示す斜視図。
【図５】クリップ体を敷き布団の布地に咬持させた状態を示す要部平面図。
【符号の説明】
【００３７】
１  人体
２  腰部
５  敷き布団
６  側縁部
７  布地
１１  膝用空気枕
１２  空気袋
１３  周縁部
１４  仕切り接合部
１５  側縁
１６  接合部
１７  通気連通部
１８  通孔
１９  給排気用バルブ
２３  第１の隔室
２４  第２の隔室
２５  第３の隔室
２６  第４の隔室
３２  クリップ体
３３  クリップ本体
３４  連結支腕部
３５  咬持片部
３６ａ  対向面
３６  透孔
３７  咬持片部
３７ａ  対向面
３８  雌ねじ部
３９  筒体部
４０  小径孔
４１  座部
４３  雄ねじ部
Ｗ  横幅
Ｈ  縦幅
ｓ  空隙
【図１】
2008006145.tif 000003
【図２】
2008006145.tif 000004
【図３】
2008006145.tif 000005
【図４】
2008006145.tif 000006
【図５】
2008006145.tif 000007